(57)【特許請求の範囲】
【請求項１】
一端開口部と他端開口部とを有した筒状網よりなる本体部と、
前記本体部の一端開口部における別々の部位に対向二辺において固着された覆い部とを備え、
前記他端開口部から前記本体部内に被包装物が収容されるように前記本体部が弾性を備えるとともに、前記覆い部により被包装物の上面が覆われるように前記覆い部が前記一端開口部を覆うことを特徴とする包装用袋。
【請求項２】
前記覆い部を透明シートによって構成したことを特徴とする請求項１に記載の包装用袋。
【発明の詳細な説明】
【技術分野】
【０００１】
この発明は、果物等の被包装物を包装することに用いられる包装用袋に関するものである。
【背景技術】
【０００２】
従来、林檎,梨,柑橘類等の果物の被包装物Ｆを包装する包装方法としては、例えば図５及び図６に示すような方法が知られている。この従来の方法においては、側面が発泡スチロール等の厚めの保護ネット２１によって保護された複数の被包装物Ｆをトレイ２２上に載置し、必要に応じて被包装物Ｆ及びトレイ２２を袋状の透明フィルム２３内に収容することにより、被包装物Ｆを包装している。
【０００３】
また、例えば、特許文献１には、同じ大きさの透明または不透明合成樹脂シートと合成樹脂製ネットとよりなり、それらの三辺を閉鎖一体化させるとともに、一辺に開口を形成した包装用袋が開示されている。そして、被包装物が前記開口から袋内に収容される。
【先行技術文献】
【特許文献】
【０００４】
【特許文献１】特開２００６-３０６４１０公報
【発明の概要】
【発明が解決しようとする課題】
【０００５】
ところが、前述した前者の従来の包装方法においては、トレイ２２及び透明フィルム２３を使用しているため、包装用品が多くなって包装に要するコストの上昇を招くとともに、包装作業が煩雑なり、しかも包装用品の廃棄処理も面倒になるという問題があった。また、被包装物Ｆがトレイ２２上に載置されているため、そのトレイ２２が被包装物Ｆから突出している場合には、嵩張るため被包装物Ｆの陳列スペースを広く確保する必要があるとともに、トレイ２２が邪魔になって被包装物Ｆの下面を視認することができないという問題もあった。さらに、被包装物Ｆを袋状の透明フィルム２３内に収容した場合は、被包装物Ｆから発生するエチレンガスを有効に排出することができず、果物の被包装物Ｆの鮮度を保つことが困難であるという問題もあった。
【０００６】
後者の特許文献１の包装用袋は、２枚のシート状をなす不透明合成樹脂シートと合成樹脂製ネットとを重ねた構造である。従って、この包装用袋は、全体として扁平状をなすため、立体感に乏しく、林檎のような塊状の被包装物を高級感を持たせながら包装することには不適切であった。
【０００７】
この発明は、このような従来の技術に存在する問題点に着目してなされたものである。その目的は、複数の包装用品を必要とせず、包装に要するコストを低減することができるとともに、包装作業を容易に行うことができ、しかも被包装物の包装状態における被包装物の下面の視認を可能にすることができる包装用袋を提供することにある。
【課題を解決するための手段】
【０００８】
上記の目的を達成するために、この発明は、一端開口部と他端開口部とを有した筒状網よりなる本体部と、前記本体部の一端開口部における別々の部位に対向二辺において固着された覆い部とを備え、前記他端開口部から前記本体部内に被包装物が収容されるように前記本体部が弾性を備えるとともに、前記覆い部により被包装物の上面が覆われるように前記覆い部が前記一端開口部を覆うことを特徴としている。
【０００９】
従って、この発明の包装用袋を用いて、果物等の被包装物を包装する場合には、筒状網よりなる本体部を拡径させながらその開口端部側から被包装物に被覆すると、被包装物が本体部内に収容されるとともに、その被包装物の上面が覆い部によって覆われる。このため、従来の包装方法とは異なり、複数の包装用品を必要とせず、包装コストを低減することができるとともに、包装作業を容易に行うことができ、しかも包装用品の廃棄処理も簡単に行うことができる。また、従来の包装方法とは異なり、トレイを使用する必要がないため、被包装物の包装状態において陳列スペースを広く確保する必要がなく、陳列スペースの節約を図ることができるとともに、筒状網よりなる本体部を介して被包装物の下面を容易に視認することができる。さらに、被包装物が筒状網よりなる本体部内に収容されているため、林檎等の被包装物から発生するエチレンガスをスムーズに排出することができて、被包装物の鮮度を保つことができる。
【００１０】
また、前記の構成において前記覆い部を透明シートによって構成するとよい。
【発明の効果】
【００１１】
以上のように、この発明によれば、複数の包装用品を必要とせず、コストを低減することができるとともに、包装作業を容易に行うことができ、しかも被包装物の包装状態における陳列スペースの削減、及び被包装物の下面の視認を可能にすることができるという効果を発揮する。
【図面の簡単な説明】
【００１２】
【図１】一実施形態の包装用袋を示す斜視図。
【図２】図１の包装用袋の分解斜視図。
【図３】同包装用袋の使用状態を示す斜視図。
【図４】同じく包装用袋の使用状態の断面図。
【図５】従来の果物の包装方法を示す斜視図。
【図６】同じく従来の包装方法の断面図。
【発明を実施するための形態】
【００１３】
以下に、この発明を具体化した包装用袋の一実施形態を図１〜図４に従って説明する。
図１及び図２に示すように、この実施形態の包装用袋１１は、両端を開口した拡径及び縮径可能なホリプロピレン,ポリエチレン等の合成樹脂製の筒状網よりなる本体部１２を備えている。本体部１２の一端開口部１２ａには、本体部１２と同じ材質であるホリプロピレン,ポリエチレン等の合成樹脂製であって、ほぼ四角形の透明シートよりなる覆い部１３が対向する二辺１３ａ，１３ｂにおいて固着されている。なお、本体部１２は、通常状態において、自身の弾性によって、細い筒状をなすように縮径状態にある。そして、図２に鎖線で示すように、本体部１２の一端開口部１２ａを拡径させた状態で、その開口周縁部に対して覆い部１３の対向する二辺１３ａ，１３ｂが高周波や超音波による熱溶着によって固着されている。
【００１４】
この実施形態においては、本体部１２及び覆い部１３は、林檎や梨等の被包装物Ｆを並設状態で収容することに適する大きさである。
そして、この包装用袋１１は、以下のように作用する。
【００１５】
この包装用袋１１を用いて果物等の被包装物Ｆを包装する場合には、図３及び図４に示すように、被包装物Ｆの外周に筒状の保護ネット１４を被覆した状態で、本体部１２の他端開口部１２ｂを拡径させながら被包装物Ｆに被せる。このようにすると、被包装物Ｆが本体部１２内に収容されるとともに、その被包装物Ｆの上面が覆い部１３によって覆われる。この状態で、図４に示すように、被包装物Ｆの下面側において、自身の弾性によって縮径状態にある本体部１２の他端開口部１２ｂ側を結束具１５により結束し、その他端開口部１２ｂ側の余長部分を１点鎖線１２ｃで示すように結束具１５に近い位置でカットして除去すれば、被包装物Ｆの包装作業が終了する。
【００１６】
そして、包装状態の被包装物Ｆを商品棚上に載置して陳列することができる。この場合、結束具１５の部分は、本体部１２の弾性に抗して被包装物Ｆ間の空間位置に移動するため、載置に邪魔になることはなく、被包装物Ｆを安定して載置することができる。
【００１７】
従って、この実施形態によれば、以下のような効果を得ることができる。
（１）  この包装用袋においては、筒状網よりなる本体部１２と、その本体部１２の一端に対向二辺１３ａ，１３ｂにおいて固着された透明な覆い部１３とから構成されている。そして、本体部１２に被包装物Ｆが収容されるとともに、覆い部１３により被包装物Ｆの上面が覆われるようになっている。
【００１８】
このため、この包装用袋１１を用いて果物等の被包装物Ｆを包装する場合には、筒状網よりなる本体部１２を拡径させながらその開口端部側から被包装物Ｆに被覆して、本体部１２の端部を結束具１５によって結束すると、被包装物Ｆが本体部１２内に収容されるとともに、その被包装物Ｆの上面が覆い部１３によって覆われる。よって、従来の包装方法とは異なり、複数の包装用品を必要とせず、包装コストを低減することができるとともに、包装作業を容易に行うことができ、しかも包装用品の廃棄処理も簡単に行うことができる。
【００１９】
また、従来の包装方法とは異なってトレイを使用する必要がないため、被包装物Ｆの包装状態において陳列スペースを広く確保する必要がなく、陳列スペースの削減を図ることができるとともに、筒状網よりなる本体部１２を介して被包装物Ｆの下面を容易に視認することができる。さらに、被包装物Ｆが筒状網よりなる本体部１２内に収容されているため、被包装物Ｆから発生するエチレンガスをスムーズに排出することができて、果物等よりなる被包装物Ｆの鮮度を保つことができる。
【００２０】
（２）  この包装用袋においては、被包装物Ｆの上面側が網状の本体部１２に覆われることなく、上面側は透明な覆い部１３によって覆われるため、被包装物Ｆを視覚によって適切に確認できるとともに、被包装物Ｆを塵埃等から保護でき、しかも高級感を醸し出すことができる。
【００２１】
（変更例）
なお、この実施形態は、次のように変更して具体化することも可能である。
・  図３に鎖線で示すように、被包装物Ｆの包装後または包装前に、覆い部１３の上面中央部に被包装物Ｆの品質や種類等を表示するラベル１６を貼着すること。
【００２２】
・  前記実施形態において、前記覆い部１３を半透明シート材や色付き透明シート材等の他のシート材により構成すること。
・  包装用袋を３個あるいは４個の林檎等の被包装物Ｆを包装することに適する大きさとすること。
【符号の説明】
【００２３】
１１…包装用袋、１２…本体部、１３…覆い部、１３ａ，１３ｂ…二辺、Ｆ…被包装物。
【図１】
0005964079.tif 000002
【図２】
0005964079.tif 000003
【図３】
0005964079.tif 000004
【図４】
0005964079.tif 000005
【図５】
0005964079.tif 000006
【図６】
0005964079.tif 000007